(57)【特許請求の範囲】
【請求項１】
内部に一対の電極が配置される発光部を有する発光管と、
前記発光部から出射された光束を反射させる反射鏡と、
前記反射鏡の光出射前側に設けられ、前記発光管を囲む筒体と、
前記筒体に接続されて、内部に形成される第１流路及び第２流路にそれぞれ空気を導く一対のダクトと、
空気を前記第１流路及び前記第２流路の一方に流通させる流路切替機構と、を備え、
前記筒体には、
当該筒体の内外を連通し、前記第１流路及び前記第２流路を辿って流通した空気を前記発光部に向けてそれぞれ送風する一対の連通口が形成され、
前記一対の連通口は、
前記発光管の中心線に沿う方向から見た場合に、前記中心線を通り、鉛直方向及び水平方向に交差する１つの仮想線上にそれぞれ設けられ、前記中心線を挟んで対向するように設けられている
ことを特徴とする光源装置。
【請求項２】
請求項１に記載の光源装置において、
前記筒体は、
筒状の筒体本体と、
前記筒体本体内部に前記連通口毎に設けられる中空状の中空部と、を備え、
前記連通口は、
前記筒体本体に形成され、前記筒体外部と前記中空部内部とを連通する第１連通口と、
前記中空部における光出射後側の側壁部に形成され、前記中空部内部の空気を前記発光部に向けて送風する第２連通口と、を有する
ことを特徴とする光源装置。
【請求項３】
請求項１に記載の光源装置において、
前記筒体には、
前記連通口毎に、前記連通口を介して前記筒体内部に導入される空気を前記発光部に向けて整流する整流部材が自重により回動可能に取り付けられ、
２つの前記整流部材は、
一対の第１整流板及び第２整流板でそれぞれ構成されている
ことを特徴とする光源装置。
【請求項４】
請求項３に記載の光源装置において、
前記筒体は、
筒状の筒体本体と、
前記筒体本体内部に前記連通口毎に設けられ、前記整流部材を自重により回動可能に収納する収納部と、を備え、
前記連通口は、
前記筒体本体に形成され、前記筒体外部と前記収納部内部とを連通する第１連通口と、
前記収納部における光出射後側の側壁部に形成され、前記収納部内部の空気を前記発光部に向けて送風する第２連通口と、を有する
ことを特徴とする光源装置。
【請求項５】
請求項４に記載の光源装置において、
前記第１整流板及び前記第２整流板は、
前記収納部に対して、前記第１連通口から離間する側の各一端が前記中心線に平行となる各回動軸を中心として回動可能にそれぞれ軸支され、
前記筒体には、
前記第１整流板及び前記第２整流板の回動を規制する回動規制部が設けられ、
前記回動規制部は、
前記第１整流板及び前記第２整流板が前記中心線よりも上方側に位置した際に、前記第１整流板及び前記第２整流板における前記第１連通口に近接する側の各他端間が前記各一端間よりも離間寸法が大きくなるように前記第１整流板及び前記第２整流板の回動を規制する
ことを特徴とする光源装置。
【請求項６】
請求項１から請求項５のいずれかに記載の光源装置において、
前記一対のダクトは、
前記筒体外面に取り付けられ、前記筒体の周方向に沿って延びる形状を有し、前記筒体外面との間で前記第１流路及び前記第２流路を形成するカバー部材で構成されている
ことを特徴とする光源装置。
【請求項７】
光源装置と、前記光源装置から出射された光束を変調する光変調装置と、前記光変調装置にて変調された光束を投射する投射光学装置とを備えたプロジェクターであって、
前記光源装置は、
請求項１から請求項６のいずれかに記載の光源装置である
ことを特徴とするプロジェクター。
【請求項８】
請求項７に記載のプロジェクターにおいて、
前記光源装置、前記光変調装置及び前記投射光学装置を内部に収納する外装筐体を備え、
前記一対の連通口のいずれか一方は、
前記投射光学装置による前記光束の投射方向が略水平に沿い、かつ、前記投射方向に直交する前記外装筐体のいずれかの外面が鉛直方向上側を向く場合と、
前記投射方向が略水平に沿い、かつ、前記外面が鉛直方向下側を向く場合と、
前記投射方向が鉛直方向上側を向く場合と、
前記投射方向が鉛直方向下側を向く場合とのそれぞれにて、前記中心線に沿う方向から見た場合に、前記中心線に対して鉛直方向上側で、かつ、水平方向にずれた位置に配置される
ことを特徴とするプロジェクター。
【発明の詳細な説明】
【技術分野】
【０００１】
本発明は、光源装置、及びプロジェクターに関する。
【背景技術】
【０００２】
従来、プロジェクターでは、内部に一対の電極が配置される発光部を有する発光管と、発光部から出射された光束を反射させる反射鏡とを備えた光源装置が多用される。
このような光源装置では、発光管の長寿命化を図るためには、発光部上部に冷却空気を送風する必要がある。
そして、従来、プロジェクターが種々の姿勢（正置き姿勢、天吊り姿勢、上方投射姿勢、及び下方投射姿勢）で設置された場合であっても、発光部上部に空気を送風し、発光管の長寿命化を図る技術が提案されている（例えば、特許文献１参照）。
【０００３】
特許文献１に記載のプロジェクターでは、反射鏡における光出射前側には、透明部材からなる前面ガラスが配設されている。
また、反射鏡及び前面ガラスの間には、発光管を囲む円筒形状を有し、冷却ファンからの空気を円筒形状の周方向に沿って導く導風部材が配設されている。
この導風部材において、発光管の中心線（光源装置から出射される光束の光軸）に沿う方向から見て、当該中心線の上下左右の各位置には、当該導風部材にて導かれた空気を発光部上部に向けて送風するための４つの開口がそれぞれ形成されている。
また、導風部材内部には、自重により移動可能とする複数の弁が設けられている。
そして、当該複数の弁を利用することで、プロジェクターの姿勢に応じて発光管の中心線の上方側に位置付けられた開口に向けて空気を導き、当該開口を介して発光部上部に向けて空気を送風している。
【先行技術文献】
【特許文献】
【０００４】
【特許文献１】特開２０１０−７８９７３号公報
【発明の概要】
【発明が解決しようとする課題】
【０００５】
ところで、光源装置では、発光管の長寿命化を図るためには、発光部等にて温められた空気を発光管が配設される空間（反射鏡、前面ガラス、及び導風部材にて形成される空間）外部に排出する必要がある。
そして、特許文献１に記載のプロジェクターでは、導風部材において、上述した各開口にそれぞれ空気を導く流路が形成されていない箇所に、発光部等にて温められた空気を外部に外出させる排気口が形成されている。
しかしながら、導風部材内部に形成される流路は、上述した４箇所に形成された各開口に空気を導くため、導風部材における円筒形状の周方向の略全体に亘って形成されている。
このため、導風部材において、排気口を形成できる領域は、小さいものである。
したがって、特許文献１に記載のプロジェクターでは、排気口の開口面積が小さいため、発光管が配設される空間に、発光部等にて温められた空気が滞留しやすい構造となり、発光管の長寿命化が図れない。
【０００６】
本発明の目的は、発光管の長寿命化が図れる光源装置、及びプロジェクターを提供することにある。
【課題を解決するための手段】
【０００７】
本発明の光源装置は、内部に一対の電極が配置される発光部を有する発光管と、前記発光部から出射された光束を反射させる反射鏡と、前記反射鏡の光出射前側に設けられ、前記発光管を囲む筒体と、前記筒体に接続されて、内部に形成される第１流路及び第２流路にそれぞれ空気を導く一対のダクトと、空気を前記第１流路及び前記第２流路の一方に流通させる流路切替機構と、を備え、前記筒体には、当該筒体の内外を連通し、前記第１流路及び前記第２流路を辿って流通した空気を前記発光部に向けてそれぞれ送風する一対の連通口が形成され、前記一対の連通口は、前記発光管の中心線に沿う方向から見た場合に、前記中心線を通り、鉛直方向及び水平方向に交差する１つの仮想線上にそれぞれ設けられ、前記中心線を挟んで対向するように設けられていることを特徴とする。
【０００８】
ここで、光出射前側とは、反射鏡にて反射された光束が進行する側を意味する。一方、光出射後側とは、上記光出射前側とは反対側を意味する。
本発明では、筒体には、上述した位置に一対の連通口が形成されている。
このことにより、例えば、光源装置が搭載されるプロジェクターが種々の姿勢（正置き姿勢、天吊り姿勢、上方投射姿勢、及び下方投射姿勢）で設置された場合であっても、一対の連通口のいずれか一方を、発光管の中心線に沿う方向から見て、中心線の斜め上方側に位置付けることが可能となる。
このため、流路切替機構により、一対のダクトのいずれか一方を介して上記斜め上方側に位置付けられた連通口に向けて空気を流通させることで、当該連通口を介して発光部上部に空気を送風できる。
したがって、プロジェクターが種々の姿勢に設置された場合であっても、発光部上部に空気を送風でき、発光管の長寿命化が図れる。
【０００９】
また、筒体には上述した位置に２つのみの連通口が形成されているので、従来の構成と比較して、筒体における排気口の形成領域を十分に確保できる。
したがって、排気口の開口面積を大きくできるため、発光部等にて温められた空気を筒体内部から排気口を介して外部に良好に排出でき、発光部等にて温められた空気が筒体内部に滞留することを抑制して発光管の長寿命化が図れる。
【００１０】
本発明の光源装置では、前記筒体は、筒状の筒体本体と、前記筒体本体内部に前記連通口毎に設けられる中空状の中空部と、を備え、前記連通口は、前記筒体本体に形成され、前記筒体外部と前記中空部内部とを連通する第１連通口と、前記中空部における光出射後側の側壁部に形成され、前記中空部内部の空気を前記発光部に向けて送風する第２連通口と、を有することが好ましい。
本発明では、連通口が上述した第１，第２連通口を備え、第２連通口が中空部における光出射後側の側壁部に形成されているので、発光部上部に向けて空気を整流する機能を中空部に付加することができる。
このため、中空部に上記整流機能を付加することで、発光部上部に確実に空気を送風でき、発光管の長寿命化がさらに図れる。
【００１１】
本発明の光源装置では、前記筒体には、前記連通口毎に、前記連通口を介して前記筒体内部に導入される空気を前記発光部に向けて整流する整流部材が自重により回動可能に取り付けられ、２つの前記整流部材は、一対の第１整流板及び第２整流板でそれぞれ構成されていることが好ましい。
本発明では、筒体には、連通口毎に上述した整流部材が取り付けられている。
このことにより、連通口を介して筒体内部に導入される空気を整流部材にて整流し、発光部上部に良好に送風できる。
【００１２】
ところで、整流部材を単体の整流板で構成した場合には、当該整流部材による整流効果が低く、連通口を介して筒体内部に導入される空気を整流して発光部上部に良好に送風することが難しいものである。
一方、整流部材を３つ以上の整流板で構成した場合には、当該整流部材による整流効果は高くなるが、当該整流部材により連通口を介して筒体内部に導入される空気の圧力損失が大きくなり、所望の風量や風速で発光部上部に空気を送風することが難しい。
これに対して、本発明では、整流部材が一対の整流板で構成されているので、当該整流部材による整流効果を高めながら、連通口を介して筒体内部に導入される空気の圧力損失を抑制でき、最小限の数の整流板にて発光部上部に良好に空気を送風できる。
【００１３】
本発明の光源装置では、前記筒体は、筒状の筒体本体と、前記筒体本体内部に前記連通口毎に設けられ、前記整流部材を自重により回動可能に収納する収納部と、を備え、前記連通口は、前記筒体本体に形成され、前記筒体外部と前記収納部内部とを連通する第１連通口と、前記収納部における光出射後側の側壁部に形成され、前記収納部内部の空気を前記発光部に向けて送風する第２連通口と、を有することが好ましい。
本発明では、連通口が上述した第１，第２連通口を備え、第２連通口が収納部における光出射後側の側壁部に形成されているので、整流部材を自重により回動可能に収納する機能の他、整流部材とともに発光部上部に向けて空気を整流する機能をも収納部に付加することができる。
このため、収納部に上記整流機能を付加することで、発光部上部に確実に空気を送風でき、発光管の長寿命化がさらに図れる。
【００１４】
本発明の光源装置では、前記第１整流板及び前記第２整流板は、前記収納部に対して、前記第１連通口から離間する側の各一端が前記中心線に平行となる各回動軸を中心として回動可能にそれぞれ軸支され、前記筒体には、前記第１整流板及び前記第２整流板の回動を規制する回動規制部が設けられ、前記回動規制部は、前記第１整流板及び前記第２整流板が前記中心線よりも上方側に位置した際に、前記第１整流板及び前記第２整流板における前記第１連通口に近接する側の各他端間が前記各一端間よりも離間寸法が大きくなるように前記第１整流板及び前記第２整流板の回動を規制することが好ましい。
【００１５】
本発明では、筒体には上述した回動規制部が設けられているので、第１，第２連通口を介して筒体内部に空気が導入される際に、第１整流板にて整流される空気の流通方向と、第２整流板にて整流される空気の流通方向とを、筒体内部で交差するように設定できる。
このため、第１，第２連通口を介して筒体内部に導入される空気を第１，第２整流板にて整流することで、発光部上部により確実に送風できる。
【００１６】
本発明の光源装置では、前記一対のダクトは、前記筒体外面に取り付けられ、前記筒体の周方向に沿って延びる形状を有し、前記筒体外面との間で前記第１流路及び前記第２流路を形成するカバー部材で構成されていることが好ましい。
本発明では、一対のダクトが上述したカバー部材で構成されているので、当該カバー部材を筒体外面に取り付けるだけで、一対の連通口に空気をそれぞれ導く第１，第２流路を形成でき、光源装置の構造を簡素なものとしながら、光源装置の小型化が図れる。
【００１７】
本発明のプロジェクターは、光源装置と、前記光源装置から出射された光束を変調する光変調装置と、前記光変調装置にて変調された光束を投射する投射光学装置とを備えたプロジェクターであって、前記光源装置は、上述した光源装置であることを特徴とする。
本発明では、プロジェクターは、上述した光源装置を備えるので、上述した光源装置と
同様の作用及び効果を享受できる。
本発明のプロジェクターでは、前記光源装置、前記光変調装置及び前記投射光学装置を内部に収納する外装筐体を備え、前記一対の連通口のいずれか一方は、前記投射光学装置による前記光束の投射方向が略水平に沿い、かつ、前記投射方向に直交する前記外装筐体のいずれかの外面が鉛直方向上側を向く場合と、前記投射方向が略水平に沿い、かつ、前記外面が鉛直方向下側を向く場合と、前記投射方向が鉛直方向上側を向く場合と、前記投射方向が鉛直方向下側を向く場合とのそれぞれにて、前記中心線に沿う方向から見た場合に、前記中心線に対して鉛直方向上側で、かつ、水平方向にずれた位置に配置されることが好ましい。
【図面の簡単な説明】
【００１８】
【図１】第１実施形態におけるプロジェクターの内部構成を模式的に示す平面図。
【図２】第１実施形態における光源装置の構成を示す斜視図。
【図３】第１実施形態における光源装置の構成を示す斜視図。
【図４】第１実施形態におけるランプユニットの構成を示す図。
【図５】第１実施形態における支持部材内部を模式的に示す図。
【図６】第１実施形態における筒状部材の構成を示す図。
【図７】第１実施形態における筒状部材の構成を示す図。
【図８】第１実施形態におけるプロジェクターの姿勢を模式的に示す図。
【図９】第１実施形態における正置き姿勢での流路を説明するための図。
【図１０】第１実施形態における正置き姿勢での流路を説明するための図。
【図１１】第１実施形態における正置き姿勢での流路を説明するための図。
【図１２】第１実施形態における天吊り姿勢での流路を説明するための図。
【図１３】第１実施形態における上方投射姿勢での流路を説明するための図。
【図１４】第１実施形態における下方投射姿勢での流路を説明するための図。
【図１５】第２実施形態における支持部材内部を模式的に示す図。
【図１６】第２実施形態における正置き姿勢での流路を説明するための図。
【図１７】第２実施形態における天吊り姿勢での流路を説明するための図。
【図１８】第２実施形態における上方投射姿勢での流路を説明するための図。
【図１９】第２実施形態における下方投射姿勢での流路を説明するための図。
【発明を実施するための形態】
【００１９】
[第１実施形態]
以下、本発明の第１実施形態を図面に基づいて説明する。
〔プロジェクターの構成〕
図１は、第１実施形態におけるプロジェクター１の内部構成を模式的に示す平面図である。
なお、以下では、説明の便宜上、後述する投射レンズ３８が配設される側（投射側）を「前面側」とし、その反対側を「背面側」と記載する。
また、以下では、プロジェクター１が正置き姿勢（天面が上方側に位置し、底面が下方側に位置する姿勢）で設置された状態で、投射レンズ３８からの投射方向をＺ軸とし、Ｚ軸に直交する水平軸をＸ軸、Ｚ軸に直交する鉛直軸をＹ軸とする。また、Ｙ軸において、上方側を＋Ｙ軸側とし、下方側を−Ｙ軸側とする。
プロジェクター１は、画像を投射してスクリーン（図示略）上に投影画像を表示する。
そして、このプロジェクター１は、図１に示すように、外装筐体２内部に収納される光学ユニット３を備える。
【００２０】
〔光学ユニットの構成〕
この光学ユニット３は、図１に示すように、光源装置４と、レンズアレイ３１１，３１２、偏光変換素子３１３、及び重畳レンズ３１４を有する照明光学装置３１と、ダイクロイックミラー３２１，３２２、及び反射ミラー３２３を有する色分離光学装置３２と、入射側レンズ３３１、リレーレンズ３３３、及び反射ミラー３３２，３３４を有するリレー光学装置３３と、３つの入射側偏光板３４と、光変調装置としての３つの液晶パネル３５と、３つの出射側偏光板３６と、色合成光学装置としてのクロスダイクロイックプリズム３７と、投射光学装置としての投射レンズ３８と、内部に各光学部品３１〜３７を収納するとともに投射レンズ３８を支持する光学部品用筐体３９とを備える。
そして、光学ユニット３では、上述した構成により、光源装置４から出射され照明光学装置３１を介した光束は、色分離光学装置３２にて赤（Ｒ）、緑（Ｇ）、青（Ｂ）の３つの色光に分離される。また、分離された各色光は、各液晶パネル３５にてそれぞれ変調される。変調された各色光は、プリズム３７にて合成されて画像となり、投射レンズ３８にてスクリーンに投射される。
【００２１】
〔光源装置の構成〕
図２及び図３は、光源装置４の構成を示す斜視図である。具体的に、図２は光源装置４を背面側（−Ｚ軸側）でかつ＋Ｙ軸側から見た斜視図であり、図３は光源装置４を前面側（＋Ｚ軸側）でかつ−Ｙ軸側から見た斜視図である。
光源装置４は、図１ないし図３に示すように、光を出射するランプユニット５（図１）と、ランプユニット５から出射された光束を略平行化する平行化レンズ６と、これらランプユニット５及び平行化レンズ６を支持する支持部材７（図２、図３）と、空気を送風する冷却ファンＦ（図１）とを備える。
【００２２】
〔ランプユニットの構成〕
図４は、ランプユニット５の構成を示す図である。具体的に、図４は、ランプユニット５を＋Ｚ軸側（前面側）から見た断面図である。
ランプユニット５は、図１または図４に示すように、発光管５１と、反射鏡としてのリフレクター５２とを備える。
発光管５１は、図４に示すように、略球状に膨出する発光部５１１と、発光部５１１を挟み、発光部５１１の両端から互いに離間する方向に延出する一対の封止部５１２，５１３とを有する。
なお、以下では、説明の便宜上、一対の封止部５１２，５１３のうち、光出射前側（＋Ｘ軸側）の封止部５１２を前側封止部５１２と記載し、光出射後側（−Ｘ軸側）の封止部５１３を後側封止部５１３と記載する。
【００２３】
発光部５１１の内部には、図４に示すように、一対の電極Ｅ１，Ｅ２が配置され、一対の電極Ｅ１，Ｅ２間には、水銀、希ガス及び少量のハロゲンを含む発光物質が封入された放電空間Ｓが形成されている。
各封止部５１２，５１３内部には、電極Ｅ１，Ｅ２とそれぞれ電気的に接続されたモリブデン製の金属箔５１２１，５１３１が挿入され、各封止部５１２，５１３における発光部５１１とは反対側の端部は、ガラス材料等で封止されている。
これら各金属箔５１２１，５１３１には、発光管５１の外部まで延出する電極引出線５１４，５１５がそれぞれ接続され、これら電極引出線５１４，５１５に対して、電圧を印加すると、発光部５１１内部が発光する。
なお、前側封止部５１２に設けられた電極引出線５１４には、電極引出線５１４に電圧を印加するために、リード線５１６の一端が溶着されている。
【００２４】
リフレクター５２は、入射した光束を反射させて、所定の焦点位置に収束させる。
そして、発光管５１は、発光部５１１の発光中心がリフレクター５２の焦点位置に位置するように、後側封止部５１３がリフレクター５２に固定される。
すなわち、発光管５１は、図４に示すように、断面略凹状に拡がるリフレクター５２の内部に配設されている。
【００２５】
〔支持部材の構成〕
図５は、支持部材７内部を模式的に示す図である。具体的に、図５は、支持部材７内部を＋Ｘ軸側（光出射前側）から見た図である。
支持部材７は、ランプユニット５及び平行化レンズ６を一体化するとともに、冷却ファンＦから吐出された空気を所定位置に導く機能を有する。
そして、この支持部材７は、図２、図３、または図５に示すように、筒状部材８と、カバー部材９と、流路切替機構１０（図５）と、整流部材１１（図５）とを備える。
【００２６】
〔筒状部材の構成〕
図６及び図７は、筒状部材８の構成を示す図である。具体的に、図６は筒状部材８を＋Ｘ軸側（光出射前側）から見た図であり、図７は筒状部材８を−Ｘ軸側（光出射後側）から見た図である。
筒状部材８は、発光管５１を囲み、発光管５１の中心線Ａｘ（図１、図４、図５）に沿って延出するように形成されている。
より具体的に、筒状部材８は、図２、図３、図６、または図７に示すように、−Ｘ軸側（光出射後側）に位置する第１筒状部８１と、＋Ｘ軸側（光出射前側）に位置し第１筒状部８１よりも外形の小さい筒体としての第２筒状部８２とが段差部８Ａ（図６、図７）を介して一体的に形成されている。
【００２７】
そして、ランプユニット５は、断面略凹状に拡がるリフレクター５２における＋Ｘ軸側（光出射前側）の端部が段差部８Ａに当接した状態で、筒状部材８に固定される。
また、平行化レンズ６は、図２、図３、または図６に示すように、第２筒状部８２における＋Ｘ軸側（光出射前側）に板ばね６Ａにより固定される。
上述したように筒状部材８にランプユニット５及び平行化レンズ６が固定されることで、第２筒状部８２における−Ｘ軸側（光出射後側）の開口部分がランプユニット５にて閉塞され、＋Ｘ軸側（光出射前側）の開口部分が平行化レンズ６にて閉塞され、第２筒状部８２、ランプユニット５、及び平行化レンズ６にて囲まれた第１空間Ａｒ１（図１０、図１１参照）が形成される。
【００２８】
第２筒状部８２は、図５ないし図７に示すように、筒体本体８２Ａと、２つの収納部８２Ｂ（図５、図７）とを備える。
筒体本体８２Ａは、図５ないし図７に示すように、前壁部８３（図６、図７）と、上側壁部８４Ｕと、下側壁部８４Ｄと、左側壁部８４Ｌと、右側壁部８４Ｒと、４つの交差壁部８５Ａ〜８５Ｄとを備え、＋Ｘ軸側（光出射前側）から見て六角形状を有する。
前壁部８３は、図６または図７に示すように、第２筒状部８２における＋Ｘ軸側（光出射前側）において、中心線Ａｘに略直交して延出し、平行化レンズ６が取り付けられる部分である。
この前壁部８３において、略中央部分には、図７に示すように、光束を通過させるための円形状の開口部８３１が形成されている。
そして、平行化レンズ６は、開口部８３１に嵌め込まれた状態で、板ばね６Ａにより前壁部８３に取り付けられる。
【００２９】
上，下側壁部８４Ｕ，８４Ｄは、図５ないし図７に示すように、互いに対向するようにプロジェクター１の天面側及び底面側にそれぞれ位置し、ＸＺ平面に沿ってそれぞれ延出する。
そして、下側壁部８４Ｄには、図３または図５に示すように、第１空間Ａｒ１の空気を排出するための排気口８４Ｄ１が形成されている。
左，右側壁部８４Ｌ，８４Ｒは、図５ないし図７に示すように、互いに対向するように＋Ｚ軸側（前面側）及び−Ｚ軸側（背面側）にそれぞれ位置し、ＸＹ平面に沿ってそれぞれ延出する。
そして、左側壁部８４Ｌには、下側壁部８４Ｄと同様に、図３または図５に示すように、第１空間Ａｒ１の空気を排出するための排気口８４Ｌ１が形成されている。
【００３０】
４つの交差壁部８５Ａ〜８５Ｄは、図５ないし図７に示すように、上，左側壁部８４Ｕ，８４Ｌを接続する左上交差壁部８５Ａと、下，右側壁部８４Ｄ，８４Ｒを接続する右下交差壁部８５Ｂと、上，右側壁部８４Ｕ，８４Ｒを接続する右上交差壁部８５Ｃと、下，左側壁部８４Ｄ，８４Ｌを接続する左下交差壁部８５Ｄとを備える。
左上交差壁部８５Ａの＋Ｘ軸側（光出射前側）には、図５に破線で示すように、内外を連通する第１連通口としての第１左上連通口８５Ａ１が形成されている。
この第１左上連通口８５Ａ１の縁部分には、図７に示すように、整流部材１１の回動を規制する一対の突起部８５Ａ２，８５Ａ３が形成されている。
また、右下交差壁部８５Ｂの＋Ｘ軸側（光出射前側）にも同様に、図５に破線で示すように、内外を連通する第１連通口としての第１右下連通口８５Ｂ１が形成されている。
なお、第１右下連通口８５Ｂ１の縁部分にも、第１左上連通口８５Ａ１と同様に、一対の突起部８５Ｂ２，８５Ｂ３（図７）が形成されている。
さらに、右上交差壁部８５Ｃの−Ｘ軸側（光出射後側）には、第１空間Ａｒ１と連通する補助送風口８５Ｃ１（図１１参照）が形成されている。
【００３１】
２つの収納部８２Ｂは、図５または図７に示すように、筒体本体８２Ａ内部に設けられ、内部が中空となる略直方体形状を有し、内部に整流部材１１がそれぞれ収納される。
なお、以下では、２つの収納部８２Ｂを、左上交差壁部８５Ａ及び右下交差壁部８５Ｂに対応させて、左上収納部８６及び右下収納部８７と記載する。
左上収納部８６は、図５または図７に示すように、３つの第１〜第３壁部８６１〜８６３を備える。
第１，第２壁部８６１，８６２は、前壁部８３内面から互いに略平行な状態で−Ｘ軸側（光出射後側）に突出するとともに、左上交差壁部８５Ａ内面に略直交して接続する部分である。
第３壁部８６３は、前壁部８３内面から−Ｘ軸側（光出射後側）に突出するとともに、第１，第２壁部８６１，８６２を接続する部分である。
【００３２】
そして、第１〜第３壁部８６１〜８６３は、左上交差壁部８５Ａ内面において、第１左上連通口８５Ａ１を囲むように形成され、第１左上連通口８５Ａ１を介して外部と連通する第２空間ＡｒＵ（図５、図７）を形成する。
本実施形態では、上述したように、左上収納部８６における−Ｘ軸側（光出射後側）の側壁は、省略されている。
すなわち、左上収納部８６における−Ｘ軸側（第１〜第３壁部８６１〜８６３における−Ｘ軸側の端部と左上交差壁部８５Ａ内面とで囲まれる矩形枠内部）は、図５または図７に示すように、第１空間Ａｒ１と第２空間ＡｒＵとを連通する本発明に係る第２連通口としての第２左上連通口８６４として機能する。
【００３３】
右下収納部８７は、図５または図７に示すように、右下交差壁部８５Ｂとの間で、整流部材１１を収納するための第２空間ＡｒＤを形成するものであり、左上収納部８６と同様の第１〜第３壁部８７１〜８７３を備える。
また、右下収納部８７における−Ｘ軸側（光出射後側）は、左上収納部８６と同様に、図５または図７に示すように、第１空間Ａｒ１と第２空間ＡｒＤとを連通する本発明に係る第２連通口としての第２右下連通口８７４として機能する。
【００３４】
以上説明した第１左上連通口８５Ａ１及び第２左上連通口８６４と、第１右下連通口８５Ｂ１及び第２右下連通口８７４とが、本発明に係る連通口８８（８８Ｕ，８８Ｄ（図５，図７））に相当する。
すなわち、一対の連通口８８は、図５に示すように、中心線Ａｘに沿う方向から見た場合に、中心線Ａｘを通り、鉛直方向（Ｙ軸に沿う方向）及び水平方向（Ｚ軸に沿う方向）にそれぞれ４５°で交差する仮想線Ｖ上にそれぞれ設けられている。
【００３５】
〔カバー部材の構成〕
カバー部材９は、筒状部材８外面に取り付けられ、筒状部材８の周方向に沿って延出し、当該筒状部材８外面との間で空気を流通させるための第３空間Ａｒ３（図５）を形成する。
そして、カバー部材９は、筒状部材８外面との間で、冷却ファンＦから吐出された空気を、第１流路Ｒ１または第２流路Ｒ２（図９、図１２〜図１４参照）を辿って流通させ、各連通口８８に導く。
このカバー部材９は、図２、図３、または図５に示すように、導入部９１（図２、図５）と、一対のダクトとしての第１，第２カバー部９２，９３とを備え、＋Ｘ軸側（光出射前側）から見た場合に略Ｌ字形状を有する。
【００３６】
導入部９１は、図２または図５に示すように、筒状部材８外面にカバー部材９が取り付けられた状態で、右上交差壁部８５Ｃにおける−Ｘ軸側（光出射後側）に対向した位置に位置付けられる。
そして、導入部９１は、ダクトＦＤ（図１〜図３）が接続される導入口９１１（図２、図５）を有し、ダクトＦＤ及び導入口９１１を介して冷却ファンＦから吐出された空気が第３空間Ａｒ３に導入される。
【００３７】
第１カバー部９２は、図２または図５に示すように、導入部９１に接続し、筒状部材８外面にカバー部材９が取り付けられた状態で、上側壁部８４Ｕに沿って左上交差壁部８５Ａまで延びるとともに、先端部分が＋Ｘ軸側（第１左上連通口８５Ａ１）に向けて延びるように形成されている。
そして、第１カバー部９２は、筒状部材８外面との間で、第３空間Ａｒ３に導入された空気を第１左上連通口８５Ａ１に導く第１流路Ｒ１（図９、図１３参照）を形成する。
第２カバー部９３は、図２または図５に示すように、導入部９１に接続し、筒状部材８外面にカバー部材９が取り付けられた状態で、右側壁部８４Ｒに沿って右下交差壁部８５Ｂまで延びるとともに、先端部分が＋Ｘ軸側（第１右下連通口８５Ｂ１）に向けて延びるように形成されている。
そして、第２カバー部９３は、筒状部材８外面との間で、第３空間Ａｒ３に導入された空気を第１右下連通口８５Ｂ１に導く第２流路Ｒ２（図１２、図１４参照）を形成する。
【００３８】
〔流路切替機構の構成〕
流路切替機構１０は、導入口９１１を介して第３空間Ａｒ３に導入された空気の流通先を第１流路Ｒ１または第２流路Ｒ２に切り替える部材であり、図５または図６に示すように、右上交差壁部８５Ｃに対向する位置（導入部９１内部）に設けられている。
この流路切替機構１０は、図６に示すように、略矩形板体状に形成され、筒状部材８外面にカバー部材９が取り付けられた状態で、段差部８Ａと、導入部９１における＋Ｘ軸側（光出射前側）の側壁に回動可能に軸支される。
【００３９】
〔整流部材の構成〕
整流部材１１は、図５または図７に示すように、自重により回動可能に各収納部８６，８７内部にそれぞれ収納され、自重により回動することで各連通口８８を介して第１空間Ａｒ１に導入される空気を発光部５１１に向けて整流する。
なお、以下では、２つの整流部材１１を、左上収納部８６及び右下収納部８７に対応させて、左上整流部材１１Ｕ及び右下整流部材１１Ｄと記載する。
【００４０】
左上整流部材１１Ｕは、図５または図７に示すように、第１整流板としての第１左上整流板１１Ｕ１、及び第２整流板としての第２左上整流板１１Ｕ２の一対で構成されている。
第１，第２左上整流板１１Ｕ１，１１Ｕ２は、図５または図７に示すように、左上収納部８６における第３壁部８６３内面に対して、中心線Ａｘに平行となる各回動軸ＲＡｘ１，ＲＡｘ２を中心として回動可能にそれぞれ軸支されている。
なお、第１左上整流板１１Ｕ１は、第２左上整流板１１Ｕ２に対して、第１壁部８６１側に取り付けられている。
右下整流部材１１Ｄは、図５または図７に示すように、左上整流部材１１Ｕと同様の構成を有し、第１整流板としての第１右下整流板１１Ｄ１、及び第２整流板としての第２右下整流板１１Ｄ２の一対で構成されている。
【００４１】
〔冷却ファンから吐出された空気の流路について〕
次に、冷却ファンＦから吐出された空気の流路について説明する。
なお、本実施形態では、上述した流路切替機構１０及び整流部材１１を設けたことにより、冷却ファンＦから吐出された空気の流路は、プロジェクター１の姿勢に応じて異なるものとなる。
このため、以下では、プロジェクター１の姿勢について説明した後、プロジェクター１の各姿勢での流路を順に説明する。
【００４２】
〔プロジェクターの姿勢〕
図８は、プロジェクター１の姿勢を模式的に示す図である。
本実施形態では、プロジェクター１は、図８に示すように、種々の姿勢で設置可能に構成されている。
例えば、プロジェクター１は、図８（Ａ）に示すように、正置き姿勢で設置される。
ここで、正置き姿勢とは、図８（Ａ）に示すように、投射レンズ３８からの投射方向（＋Ｚ軸）が略水平方向となる姿勢を意味する。
また、プロジェクター１は、図８（Ｂ）に示すように、正置き姿勢（図８（Ａ））の状態からＸ軸（中心線Ａｘ）を中心として１８０°回転させた姿勢を意味する。
【００４３】
さらに、プロジェクター１は、図８（Ｃ）に示すように、上方投射姿勢で設置される。
ここで、上方投射姿勢とは、図８（Ｃ）に示すように、正置き姿勢（図８（Ａ））の状態からＸ軸（中心線Ａｘ）を中心として矢印Ａ１方向（図８（Ａ））に回転させ、投射レンズ３８からの投射方向（＋Ｚ軸）が上方側となる姿勢を意味する。
また、プロジェクター１は、図８（Ｄ）に示すように、下方投射姿勢で設置される。
ここで、下方投射姿勢とは、図８（Ｄ）に示すように、正置き姿勢（図８（Ａ））の状態からＸ軸を中心として矢印Ａ２方向（図８（Ａ））に回転させ、投射レンズ３８からの投射方向（＋Ｚ軸）が下方側となる姿勢を意味する。
【００４４】
〔正置き姿勢での空気の流路〕
図９ないし図１１は、正置き姿勢での流路を説明するための図である。具体的に、図９は、正置き姿勢での支持部材７内部を＋Ｘ軸側（光出射前側）から見た模式図である。図１０は、正置き姿勢での光源装置４を、左上交差壁部８５Ａ、中心線Ａｘ、及び右下交差壁部８５Ｂを通る平面で切断した断面図である。図１１は、正置き姿勢での光源装置４を、右上交差壁部８５Ｃ、中心線Ａｘ、及び左下交差壁部８５Ｄを通る平面で切断した断面図である。
なお、図９では、説明の便宜上、図中の上下方向を光源装置４の自重が加わる鉛直軸に沿うように図示している。図１２ないし図１４も同様である。
【００４５】
正置き姿勢の場合には、流路切替機構１０は、図９に示すように、カバー部材９の第１規制部９Ａにて回動が規制されるまで、自重により回動し、導入口９１１と第２流路Ｒ２との間を遮断する。
このため、冷却ファンＦからダクトＦＤ及び導入口９１１を介して第３空間Ａｒ３に導入された空気は、図９に示すように、第１流路Ｒ１に沿って流通する。
【００４６】
ここで、正置き姿勢の場合には、左上収納部８６は、図９に示すように、＋Ｘ軸側（光出射前側）から見て中心線Ａｘの左斜め上方側（中心線Ａｘよりも上方側）に位置する。
このため、左上収納部８６内部に収納された第１左上整流板１１Ｕ１は、図９に示すように、先端が第１壁部８６１に当接するまで、＋Ｘ軸側（光出射前側）から見て回動軸ＲＡｘ１を中心として反時計回りに回動する。
一方、第２左上整流板１１Ｕ２は、図９に示すように、先端が第１左上連通口８５Ａ１の縁部分に形成された突起部８５Ａ２（図７）に当接するまで、＋Ｘ軸側（光出射前側）から見て回動軸ＲＡｘ２を中心として反時計回りに回動する。
【００４７】
以上のように第１壁部８６１及び突起部８５Ａ２により回動が規制されると、第１，第２左上整流板１１Ｕ１，１１Ｕ２は、図９に示すように、各一端（第１左上連通口８５Ａ１から離間する側の基端）間の離間寸法Ｄ１よりも各他端（第１左上連通口８５Ａ１に近接する側の先端）間の離間寸法Ｄ２が大きい状態となる。
【００４８】
そして、第１流路Ｒ１に沿って流通した空気は、第１左上連通口８５Ａ１〜第２空間ＡｒＵ〜第２左上連通口８６４の流路を辿ることで、左上整流部材１１Ｕにて整流されながら、第１空間Ａｒ１に導入されることとなる。
また、第１空間Ａｒ１に導入された空気は、図９または図１０に示すように、発光部５１１上部の頂点位置に向けて送風され、発光部５１１上部を冷却する。
【００４９】
また、冷却ファンＦからダクトＦＤ及び導入口９１１を介して第３空間Ａｒ３に導入された空気の一部は、図１１に示すように、右上交差壁部８５Ｃに形成された補助送風口８５Ｃ１を介して第１空間Ａｒ１に導入される。
そして、補助送風口８５Ｃ１を介して第１空間Ａｒ１に導入された空気は、図１１に示すように、前側封止部５１２の先端（電極引出線５１４及びリード線５１６の溶着位置）に向けて送風され、前側封止部５１２の先端を冷却する。
【００５０】
以上のように発光部５１１及び前側封止部５１２の先端を冷却した後の空気は、図９ないし図１１に示すように、排気口８４Ｄ１，８４Ｌ１を介して光源装置４外部に排出されるとともに、後側封止部５１３とリフレクター５２との隙間を介して光源装置４外部に排出される。
なお、補助送風口８５Ｃ１を介した上記溶着位置への送風、及び排気口８４Ｄ１，８４Ｌ１を介した排気に関しては、以下に記載する天吊り姿勢、上方投射姿勢、及び下方投射姿勢でも同様に行われるものであるため、以下では記載を省略する。
【００５１】
〔天吊り姿勢での空気の流路〕
図１２は、天吊り姿勢での流路を説明するための図である。具体的に、図１２は、天吊り姿勢での支持部材７内部を＋Ｘ軸側（光出射前側）から見た模式図である。
天吊り姿勢の場合には、流路切替機構１０は、図１２に示すように、カバー部材９の第２規制部９Ｂにて回動が規制されるまで、自重により回動し、導入口９１１と第１流路Ｒ１との間を遮断する。
このため、冷却ファンＦからダクトＦＤ及び導入口９１１を介して第３空間Ａｒ３に導入された空気は、図１２に示すように、第２流路Ｒ２に沿って流通する。
【００５２】
ここで、天吊り姿勢の場合には、右下収納部８７は、図１２に示すように、＋Ｘ軸側（光出射前側）から見て、中心線Ａｘの左斜め上方側（中心線Ａｘよりも上方側）に位置する。
このため、右下収納部８７内部に収納された第１，第２右下整流板１１Ｄ１，１１Ｄ２は、正置き姿勢時での左上整流部材１１Ｕと同様の挙動を示し、図１２に示すように、各先端が第１壁部８７１及び突起部８５Ｂ２（図７）に当接するまでそれぞれ回動する。
また、上記の状態では、第１，第２右下整流板１１Ｄ１，１１Ｄ２は、正置き姿勢時での左上整流部材１１Ｕと同様に、図１２に示すように、各一端（第１右下連通口８５Ｂ１から離間する側の基端）間の離間寸法Ｄ１よりも各他端（第１右下連通口８５Ｂ１に近接する側の先端）間の離間寸法Ｄ２が大きい状態となる。
【００５３】
そして、第２流路Ｒ２に沿って流通した空気は、図１２に示すように、連通口８８Ｄを介して第１空間Ａｒ１に導入される際に、右下整流部材１１Ｄにて整流され、正置き姿勢時と同様に、発光部５１１上部の頂点位置に向けて送風される。
【００５４】
〔上方投射姿勢での空気の流路〕
図１３は、上方投射姿勢での流路を説明するための図である。具体的に、図１３は、上方投射姿勢での支持部材７内部を＋Ｘ軸側（光出射前側）から見た模式図である。
上方投射姿勢の場合には、流路切替機構１０は、図１３に示すように、正置き姿勢時と同様の挙動を示す。すなわち、冷却ファンＦからの空気は、第１流路Ｒ１に沿って流通する。
ここで、上方投射姿勢の場合には、左上収納部８６は、図１３に示すように、＋Ｘ軸側（光出射前側）から見て、中心線Ａｘの右斜め上方側（中心線Ａｘよりも上方側）に位置する。
このため、左上収納部８６内部に収納された第１左上整流板１１Ｕ１は、図１３に示すように、正置き姿勢時とは逆に、先端が第１左上連通口８５Ａ１の縁部分に形成された突起部８５Ａ３（図７）に当接するまで、＋Ｘ軸側（光出射前側）から見て回動軸ＲＡｘ１を中心として時計回りに回動する。
【００５５】
一方、第２左上整流板１１Ｕ２は、図１３に示すように、正置き姿勢時とは逆に、先端が第２壁部８６２に当接するまで、＋Ｘ軸側（光出射前側）から見て回動軸ＲＡｘ２を中心として時計回りに回動する。
そして、上記の状態では、第１，第２左上整流板１１Ｕ１，１１Ｕ２は、正置き姿勢時と同様に、図１３に示すように、各一端間の離間寸法Ｄ１よりも各他端間の離間寸法Ｄ２が大きい状態となる。
【００５６】
そして、第１流路Ｒ１に沿って流通した空気は、図１３に示すように、連通口８８Ｕを介して第１空間Ａｒ１に導入される際に、左上整流部材１１Ｕにて整流され、正置き姿勢時と同様に、発光部５１１上部の頂点位置に向けて送風される。
【００５７】
〔下方投射姿勢での空気の流路〕
図１４は、下方投射姿勢での流路を説明するための図である。具体的に、図１４は、下方投射姿勢での支持部材７内部を＋Ｘ軸側（光出射前側）から見た模式図である。
下方投射姿勢の場合には、流路切替機構１０は、図１４に示すように、天吊り姿勢時と同様の挙動を示す。すなわち、冷却ファンＦからの空気は、第２流路Ｒ２に沿って流通する。
ここで、下方投射姿勢の場合には、右下収納部８７は、図１４に示すように、＋Ｘ軸側（光出射前側）から見て、中心線Ａｘの右斜め上方側（中心線Ａｘよりも上方側）に位置する。
【００５８】
このため、右下収納部８７内部に収納された第１，第２右下整流板１１Ｄ１，１１Ｄ２は、上方投射姿勢時での左上整流部材１１Ｕと同様の挙動を示し、図１４に示すように、各先端が突起部８５Ｂ３（図７）及び第２壁部８７２に当接するまでそれぞれ回動する。
また、上記の状態では、第１，第２右下整流板１１Ｄ１，１１Ｄ２は、天吊り姿勢時と同様に、図１４に示すように、各一端間の離間寸法Ｄ１よりも各他端間の離間寸法Ｄ２が大きい状態となる。
すなわち、以上説明した第１壁部８６１，８７１、第２壁部８６２，８７２、各突起部８５Ａ２，８５Ａ３，８５Ｂ２，８５Ｂ３が本発明に係る回動規制部８９（図７、図９、図１２〜図１４）に相当する。
【００５９】
そして、第２流路Ｒ２に沿って流通した空気は、図１４に示すように、連通口８８Ｄを介して第１空間Ａｒ１に導入される際に、右下整流部材１１Ｄにて整流され、正置き姿勢時と同様に、発光部５１１上部の頂点位置に向けて送風される。
【００６０】
上述した第１実施形態によれば、以下の効果がある。
第１実施形態では、第２筒状部８２には、＋Ｘ軸側（光出射前側）から見て、仮想線Ｖ上に一対の連通口８８Ｕ，８８Ｄが形成されている。
このことにより、プロジェクター１が種々の姿勢（正置き姿勢、天吊り姿勢、上方投射姿勢、及び下方投射姿勢）で設置された場合であっても、一対の連通口８８Ｕ，８８Ｄのいずれか一方を、中心線Ａｘに沿う方向から見て、中心線Ａｘの斜め上方側に位置付けることができる。
このため、流路切替機構１０により、第１流路Ｒ１または第２流路Ｒ２を介して上記斜め上方側に位置付けられた連通口８８に向けて空気を流通させることで、当該連通口８８を介して発光部５１１上部に空気を送風できる。
したがって、プロジェクター１が種々の姿勢に設置された場合であっても、発光部５１１上部に空気を送風でき、発光管５１の長寿命化が図れる。
【００６１】
また、第２筒状部８２には上述した位置に２つのみの連通口８８が形成されているので、従来の構成と比較して、第２筒状部８２における排気口８４Ｄ１，８４Ｌ１の形成領域を十分に確保できる。
したがって、排気口８４Ｄ１，８４Ｌ１の開口面積を大きくできるため、発光部５１１等にて温められた空気を第１空間Ａｒ１から排気口８４Ｄ１，８４Ｌ１を介して外部に良好に排出でき、温められた空気が第１空間Ａｒ１に滞留することを抑制して発光管５１の長寿命化が図れる。
【００６２】
さらに、第２筒状部８２には、連通口８８毎に整流部材１１が取り付けられている。
このことにより、連通口８８を介して第１空間Ａｒ１に導入される空気を整流部材１１にて整流し、発光部５１１上部に良好に送風できる。
また、左上整流部材１１Ｕが第１，第２左上整流板１１Ｕ１，１１Ｕ２の一対で構成されているので、当該左上整流部材１１Ｕによる整流効果を高めながら、連通口８８Ｕを介して第１空間Ａｒ１に導入される空気の圧力損失を抑制でき、最小限の数の整流板１１Ｕ１，１１Ｕ２にて発光部５１１上部に良好に空気を送風できる。なお、右下整流部材１１Ｄも同様である。
【００６３】
また、連通口８８Ｕが第１左上連通口８５Ａ１及び第２左上連通口８６４を備え、第２左上連通口８６４が左上収納部８６における光出射後側に形成されているので、左上整流部材１１Ｕを自重により回動可能に収納する機能の他、左上整流部材１１Ｕとともに発光部５１１上部に向けて空気を整流する機能をも左上収納部８６に付加することができる。
このため、左上収納部８６に上記整流機能を付加することで、発光部５１１上部に確実に空気を送風することができ、発光管５１の長寿命化が図れる。なお、右下収納部８７も同様である。
【００６４】
さらに、第２筒状部８２には回動規制部８９が設けられているので、第１，第２左上連通口８５Ａ１，８６４を介して第１空間Ａｒ１に空気が導入される際に、第１左上整流板１１Ｕ１にて整流される空気の流通方向と、第２左上整流板１１Ｕ２にて整流される空気の流通方向とを、第１空間Ａｒ１で交差するように設定できる。
このため、第１，第２左上連通口８５Ａ１，８６４を介して第１空間Ａｒ１に導入される空気を第１，第２左上整流板１１Ｕ１，１１Ｕ２にて整流することで、発光部５１１上部により確実に送風できる。なお、第１，第２右下整流板１１Ｄ１，１１Ｄ２にて整流される空気も同様である。
【００６５】
また、本発明に係る一対のダクトがカバー部材９で構成されているので、カバー部材９を筒状部材８外面に取り付けるだけで、第１，第２流路Ｒ１，Ｒ２を形成でき、光源装置４の構造を簡素なものとしながら、光源装置４の小型化が図れる。
さらに、上述した位置に連通口８８Ｕ，８８Ｄを形成することで、第１，第２流路Ｒ１，Ｒ２の長さを略同一に設定できる。このため、プロジェクター１が種々の姿勢に設置された場合であっても、発光部５１１上部に送風される空気の風量や風速を略同一とすることができる。
【００６６】
[第２実施形態]
次に、本発明の第２実施形態を図面に基づいて説明する。
以下の説明では、前記第１実施形態と同様の構成及び同一部材には同一符号を付して、その詳細な説明は省略または簡略化する。
図１５は、第２実施形態における支持部材７内部を模式的に示す図である。具体的に、図１５は、図５に対応した図である。
本実施形態では、図１５に示すように、前記第１実施形態に対して、整流部材１１が省略されている点、排気口８４Ｄ１が省略されている点、新たに排気口８５Ｄ１が形成されている点が異なるのみである。他の構成は、前記第１実施形態と同様である。
【００６７】
すなわち、本実施形態では、２つの収納部８２Ｂは、前記第１実施形態で説明したように中空状に形成されているが、整流部材１１を収納する機能は有さずに、発光部５１１上部に向けて空気を整流する機能のみを有する。
したがって、２つの収納部８２Ｂは、本発明に係る中空部に相当する。
排気口８５Ｄ１は、図１５に示すように、左下交差壁部８５Ｄに形成され、前記第１実施形態で説明した排気口８４Ｄ１と同様に、第１空間Ａｒ１の空気を排出するための排気口である。
【００６８】
図１６〜図１９は、プロジェクター１が各姿勢で設置された場合での流路を説明するための図である。具体的に、図１６〜図１９は、図９、図１２〜図１４にそれぞれ対応した図である。
なお、本実施形態では前記第１実施形態に対して上述した点が異なるのみであるため、プロジェクター１が各姿勢で設置された場合での流路も、図１６〜図１９に示すように、前記第１実施形態と略同様である。
【００６９】
例えば、正置き姿勢の場合には、第１流路Ｒ１に沿って流通した空気は、図１６に示すように、左上整流部材１１Ｕにて整流されることなく、第１左上連通口８５Ａ１〜第２空間ＡｒＵ〜第２左上連通口８６４の流路を辿り、第１空間Ａｒ１に導入される。
そして、第１空間Ａｒ１に導入された空気は、発光部５１１上部の頂点位置に向けて送風され、発光部５１１上部を冷却する。
また、第１空間Ａｒ１内部の空気は、互いに隣接する左側壁部８４Ｌ及び左下交差壁部８５Ｄにそれぞれ形成された排気口８４Ｌ１，８５Ｄ１を介して光源装置４外部に排出される。
なお、他の天吊り姿勢、上方投射姿勢、及び下方投射姿勢の場合でも、上記同様である（図１７〜図１９）。
【００７０】
上述した第２実施形態によれば、前記第１実施形態と同様の効果の他、以下の効果がある。
すなわち、収納部８２Ｂ自体に整流機能が付加されているため、整流部材１１を省略しても、発光部５１１上部の頂点位置に向けて空気を整流することができる。
また、整流部材１１を省略したことにより、収納部８２Ｂ内部での空気の圧力損失をさらに抑制でき、所望の風量や風速で発光部５１１上部に空気を送風できる。
以上のことから、光源装置４の構造を簡素なものとしながら、発光部５１１上部を効果的に冷却できる。
【００７１】
さらに、排気口８４Ｌ１，８５Ｄ１が互いに隣接する左側壁部８４Ｌ及び左下交差壁部８５Ｄにそれぞれ形成されているので、排気口の形成領域を十分に確保しながら、排気口８４Ｌ１，８５Ｄ１を介して光源装置４外部に排出される空気の排出方向を略同一方向に設定できる。
したがって、排気口８４Ｌ１，８５Ｄ１を介して排出された空気を纏めてプロジェクター１（外装筐体２）外部に排出する構造を容易に実現することができる。
【００７２】
なお、本発明は前述の実施形態に限定されるものではなく、本発明の目的を達成できる範囲での変形、改良等は本発明に含まれるものである。
前記各実施形態では、説明を簡略化するために、プロジェクター１の姿勢として、正置き姿勢、天吊り姿勢、上方投射姿勢、および下方投射姿勢の４つの姿勢を例に挙げて説明したが、プロジェクター１は中心線Ａｘを中心とする３６０°全ての方向に対して投射可能な種々の姿勢に設定できるものである。
前記各実施形態において、連通口８８Ｕ，８８Ｄの形成位置は、前記実施形態で説明した位置に限らず、中心線Ａｘに沿う方向から見て、中心線Ａｘを通り、鉛直方向及び水平方向に交差する仮想線上に位置していれば、いずれの位置でも構わない。
【００７３】
前記各実施形態において、プロジェクター１は、３つの液晶パネル３５を備える構成としたが、本発明はこれに限らない。すなわち、２つ以下、あるいは、４つ以上の液晶パネルを用いたプロジェクターにも、本発明を適用可能である。
前記各実施形態において、光変調装置としては、透過型の液晶パネルの他、反射型の液晶パネルを採用しても構わない。また、光束を画像情報に応じて光束を変調する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束出射側の偏光板３４，３６は省略できる。
前記各実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００７４】
本発明は、プレゼンテーションやホームシアターに用いられるプロジェクターに利用できる。
【符号の説明】
【００７５】
１・・・プロジェクター、４・・・光源装置、１０・・・流路切替機構、１１・・・整流部材、１１Ｕ１・・・第１左上整流板（第１整流板）、１１Ｕ２・・・第２左上整流板（第２整流板）、１１Ｄ１・・・第１右下整流板（第１整流板）、１１Ｄ２・・・第２右下整流板（第２整流板）、３５・・・液晶パネル（光変調装置）、３８・・・投射レンズ（投射光学装置）、５１・・・発光管、５２・・・リフレクター（反射鏡）、８２・・・第２筒状部（筒体）、８２Ａ・・・筒体本体、８２Ｂ・・・収納部（中空部）、８５Ａ１・・・第１左上連通口（第１連通口）、８５Ｂ１・・・第１右下連通口、９２・・・第１カバー部（ダクト）、９３・・・第２カバー部（ダクト）、８８・・・連通口、８９・・・回動規制部、５１１・・・発光部、８６４・・・第２左上連通口（第２連通口）、８７４・・・第２右下連通口（第２連通口）、Ａｘ・・・中心線、Ｅ１，Ｅ２・・・電極、ＲＡｘ１、ＲＡｘ２・・・回動軸、Ｒ１・・・第１流路、Ｒ２・・・第２流路。
【図１】
0005810732.tif 000002
【図２】
0005810732.tif 000003
【図３】
0005810732.tif 000004
【図４】
0005810732.tif 000005
【図５】
0005810732.tif 000006
【図６】
0005810732.tif 000007
【図７】
0005810732.tif 000008
【図８】
0005810732.tif 000009
【図９】
0005810732.tif 000010
【図１０】
0005810732.tif 000011
【図１１】
0005810732.tif 000012
【図１２】
0005810732.tif 000013
【図１３】
0005810732.tif 000014
【図１４】
0005810732.tif 000015
【図１５】
0005810732.tif 000016
【図１６】
0005810732.tif 000017
【図１７】
0005810732.tif 000018
【図１８】
0005810732.tif 000019
【図１９】
0005810732.tif 000020